(57)【要約】      （修正有）【課題】過負荷による正確度損壊を避け、収納に便利で、外出時に携帯に便利な電子はかりの保護構造を提供する。【解決手段】台ばかりの台座２、はかりセンサーを有する台ばかり金属板セット及び台ばかりの皿４を含む。主に、台ばかり台座に複数の斜面があり、当該台ばかりの皿内に、互いに向かう支持リブが設置されている。この組み合わせを利用して、回転と移動等の作動方式を使用することによって、台ばかりの皿上の支持リブが斜面の低いところから、高いところへ移動する時に、一つの隔たりスペースを自然に形成するようにする。当該保護構造をもって、台ばかりが、不使用の時に、台ばかりの皿と台ばかり金属板のセットを、元の接触モデルから、接触しないモデルに変更することができ、もう一方で、使用の時に、逆転するだけで、この隔たり形態を解除できるので、物品の秤量作用を便利にする。【選択図】図２
0003233994.tif 000002
【実用新案登録請求の範囲】
【請求項１】
縁の付近において間隔をおいて設置された複数の斜面を有する台ばかり台座と、
はかりセンサーを有し、前記台ばかり台座中央部に設置されている台ばかり金属板セットと、
縁部内面に間隔を置いて設置された複数の長いリブを有する台ばかりの皿と、を備え、
前記長いリブ毎に、一つの前記斜面に相応し、且つ、前記斜面の最低点と最高点との間に任意に往復的に移動できる
ことを特徴とする電子はかり保護構造。
【請求項２】
請求項１に記載の電子はかり保護構造において、
前記台ばかり台座に、自由に開け、且つ、底面に折り畳むモニター及び制御ポートが設けられている
ことを特徴とする電子はかり保護構造。
【請求項３】
請求項１に記載の電子はかり保護構造において、
当該電子はかりが、磁気吸引構造を利用して、貯蔵容器に結び付いている
ことを特徴とする電子はかり保護構造。
【請求項４】
請求項３に記載の電子はかり保護構造において、
前記貯蔵容器の底部にシリカゲルスペーサーが設置され、当該シリカゲルスペーサーに、少なくとも一つ以上の空きスロットが設置されていて、その内に磁石が嵌められている
ことを特徴とする電子はかり保護構造。
【請求項５】
はかりセンサーを有する台ばかり金属板セットの台ばかり外部ボックスと、
対向する辺同士の一方の辺の上方に支持点が設置され、且つ、対向する辺同士の他方の表面に支持面が設置されている台ばかり内部枠と、
下側における開口から遠い方の隅にシリカゲルスペーサーが設置されて、開口に近い箇所に、長いストリップ状のサポート面が設置されている台ばかりの皿と、を備え、
前記台ばかり内部枠が前記台ばかり外部ボックスに収納される時に、当該台ばかり内部枠の前記支持点及び前記支持面が、前記シリカゲルスペーサー及び前記サポート面に押し付くことによって、前記台ばかりの皿と前記台ばかり金属板セットとの間に、一つの隔たりスペースを自然に形成し、
前記台ばかり内部枠が前記台ばかり外部ボックスから抜け出す時に、この前記台ばかりの皿と前記台ばかり金属板セットとの間に隔たりスペースがある状態が解除される
ことを特徴とする電子はかり保護構造。
【請求項６】
請求項５に記載の電子はかり保護構造において、
当該台ばかり内部枠の支持面に、タッチ制御式制御ポート及びモニターが設置されている
ことを特徴とする電子はかり保護構造。
【請求項７】
請求項５に記載の電子はかり保護構造において、
当該台ばかり内部枠に、一つの弾性コンポーネントが台ばかりの外部ボックス内に設置されていて、当該台ばかり内部枠が、台ばかりの外部ボックス内に入り込んで位置決めされる時、当該弾性コンポーネントが、押し付けられて、固定され、これと同時に、当該台ばかり外部ボックス側に、一つのスイッチが設置されて、当該弾性コンポーネントの開放を制御する
ことを特徴とする電子はかり保護構造。
【考案の詳細な説明】
【技術分野】
【０００１】
本考案は、電子はかりの保護措置に関わり、特に、過負荷による電子はかりの正確度損壊又はこれに対する影響を避けることができ、且つ、収納に便利で、外出時に携帯に便利である、その上、貯蔵容器（例えば、保温カップ等）を一緒に配置することができることによって、随時に電子はかり上で各種類の飲料の原料（例えば、カフェ粉量、茶の葉の量と水量等）を正確に測ることができる電子はかり保護構造の改良に関わる。
【背景技術】
【０００２】
一般な台ばかりシリーズで、物品を置いて重量を図ることについて、その種類がきわめて多く、且つ、古くさいものを継続的に退けて新しいものを生み出すことによって、異なる使用の場合及び各種のユーザのニーズに答えて、異なる種類の設計と構造を有する、時代の進歩に連れて、重量値の測定表示方法も、過去の単純にスプリング吊り測定方式から、電子感応コンポーネントで、重量物の重量による応力変形を検出した後、電子表示システムを通じて、重量指示値等を得ること等の新型設計まで進歩した。
【０００３】
現在、市販電子はかりは、皆一体式であり、即ち、秤の皿を、モニター及び操作ポートと、外部に整合して、もう一方で、秤量センサー及び調整電源等の部分を内部に整合するという構成とする。秤量の時に、被測定物の重量を、称量センサーで電気信号に転換してから、運算アンプリファイアーで拡大し、且つ、ワンチップ・マイクロプロセッサーで処理した後、デジタル形式で計量値を表示する。その上、電子はかりは、軽い死荷重、移動の便利性と複数の機能等の特徴を有するので、殆どの人達により愛用されている。
【０００４】
但し、前記電子はかりは、使用面において、理想的でない欠陥がある。例えば、当該電子はかりの現有の過負荷保護仕組みが、極限値の保護方式だけであり、極限値内における計量さえであれば、当該電子はかりの秤量所センサーを傷つけない。但し、使用しない時に移動する場合、極限値を超える外力による持続的な押し付け、衝撃又は衝突に遭う場合、過負荷により、永久的な変形を齎す為、電子はかりが元の正確度を失いがちであることを見逃す。その上、電子はかりは、伝統的な台ばかりより、携帯しやすい優位性を持つ原因としては、体積が伝統的な台ばかりより小さいので、自然に収納しやすいことである、但し、完備化とは称されることができない。なぜかというと、その形体が、不規則な幾何造形であるので、これに対して更なる改良を行うと、その美観性と便利性を大幅に向上させることができる。
【０００５】
本実用新案の考案者は、前記電子はかりの理想的でない点について、改良する必要であることに鑑みて、当該製品設計製造の経験に基づいて、研究と改良を行い、長時間にわたって構想実験と修正を行った結果、この一層斬新である実用新案を作り出した。
【考案の概要】
【考案が解決しようとする課題】
【０００６】
本考案の一つ目の目的は、電子はかり保護構造改良を提供することである、当該保護構造を持って、電子はかりが、不使用の時に、内部で一つの隔たりスペースを自然に形成することによって、表面の台ばかり秤の皿が、外力又は過負荷を受ける時でも、内部の台ばかり金属板セットに如何なる影響又は破壊を齎さないので、全面的且つ妥当的な安全保護効果を達成する。
【０００７】
本考案の二つ目の目的は、電子はかり保護構造改良を提供することである、当該電子はかりが、付帯として、貯蔵容器に結び付く（例えば、保温カップ等）ことができるので、当該貯蔵容器を外出携帯する時に、電子はかりを一緒に携帯することができる。これで、随時に正確に測定して、各種の飲料の茶入れを行うことができる。
【０００８】
本考案の三つ目の目的は、電子はかり保護構造改良を提供することである、自由に開け、且つ、円形電子はかりの底面又は長方形電子はかり内部に隠れて折り畳むことができるモニター及び制御ポートを通じて、最低体積まで気軽に収納でき、外出携帯に便利である。
【課題を解決するための手段】
【０００９】
前記の各項目を達成する為に、本考案は、一つの好ましい実施形態で、一つの電子はかり保護構造の改良を披露している。
当該電子はかりは、円形であり、下記の構成部分を含む。
台ばかりの台座、台ばかり金属板セット（はかりセンサーを含有する）及び台ばかりの皿を含む。
台ばかり台座に複数の斜面があり、当該台ばかりの皿内に、互いに向かう支持リブが設置されている、この組み合わせを利用して、回転台ばかりの皿を回転することによって、支持リブが斜面の低いところから、高いところへ移動する時に、一つの隔たりスペースを自然に形成する、当該保護構造を持って、台ばかりが、不使用の時に、台ばかりの皿と台ばかり金属板のセットを、元の接触モデルから、接触しないモデルに変更することができ、もう一方で、使用の時に、逆転するだけで、この隔たり形態を解除できるので、物品の秤量作用を便利にする。
【００１０】
一つの好ましい実施形態の中で、当該台ばかり台座に、自由に開け、且つ、底面に折り畳むモニター及び制御ポートが結びつかれている。
【００１１】
一つの好ましい実施形態の中で、当該電子はかりが、磁気吸引構造を利用して、貯蔵容器に結び付いている（例えば、保温カップ）。
【００１２】
本考案は、もう一つの好ましい実施形態で、一つの電子はかり保護構造の改良を披露している。当該電子はかりは、長方形であり、下記の構成部分を含む。台ばかりの底面ボックス（はかりセンサーを含有する）、台ばかりの内部枠及び  台ばかりの皿を含む、主に当該台ばかりの底面ボックスの台ばかりの皿下側における開口を遠ざける隅にそれぞれスペーサーが設置され、開口に近い箇所に、長いストリップ状の支持面が設置され、内部枠の二つの相対辺の上方に支持点が設置され、スペーサーに相応し、相対辺が挟む辺の表面に、支持面が設置されている、この組み合わせを利用して、内部枠が、完全に外部ボックスに折り畳む時に、当該内部枠の支持点及び支持面が、台ばかりの皿に押し付くことによって、台ばかり金属板セットとの間に、一つの隔たりスペースを自然に形成する、内部枠を抜け出す時に、支持点と支持面が分離することによって、この隔たり形態を解除することができる。これで、物品の秤量作用を便利にする。
【００１３】
もう一つの好ましい実施形態の中で、当該台ばかり内部枠の支持面に、タッチ制御式制御ポート及びモニターが設置されている。
【００１４】
もう一つの好ましい実施形態の中で、当該台ばかり内部枠が、一つの弾性コンポーネントを通じて、台ばかりの底部ボックスに嵌めたれる。当該台ばかり内部枠が、台ばかりの底部ボックス内に入り込んで位置決めされる時、当該弾性コンポーネントが、押し付けられる、これと同時に、当該台ばかり底部ボックス側に、一つのスイッチが設置されて、スイッチが押される時に、当該台ばかり内部枠が、弾性コンポーネントの釈放により、押し出される。これで、操作使用の便利性を有する。
【図面の簡単な説明】
【００１５】
【図１】本考案の一つの好ましい実施形態の電子はかりの立体図である。
【図２】本考案の一つの好ましい実施形態の電子はかり分解図である。
【図３】本考案の一つの好ましい実施形態の電子はかりの動作模式図である。
【図４】本考案の一つの好ましい実施形態の電子はかりの開きと折り畳みの模式図である。
【図５】本考案の一つの好ましい実施形態の電子はかりの実施使用例の分解図である。
【図６】本考案の一つの好ましい実施形態の電子はかりの実施使用例の組合図である。
【図７】本考案のその他の好ましい実施形態の電子はかりの折り畳みの模式図である。
【図８】本考案のその他の好ましい実施形態の電子はかりの開きの模式図である。
【図９】本考案のその他の好ましい実施形態の電子はかりの動作模式図である。
【考案を実施するための形態】
【００１６】
まず図１及び図２で示すように、本考案の一つの好ましい実施形態は、一つの円形の電子はかり（１）を開示していて、少なくとも下記を含む。台ばかりの台座（２）、はかりセンサーを含有する台ばかり金属板セット（３）、及び台ばかりの皿（４）を含む、その中で、台ばかりの台座（２）に、周辺内縁の付近で、複数の斜面（２１）があり、周りで間隔を置いて設置されている、中央部に当該台ばかり金属板セット（３）が設置されていて、当該台ばかりの皿（４）の縁部内面に、複数の支持リブ（４１）が設置されている、同じように周りで間隔を置いて設置されていて、各支持リブ（４１）が一つの斜面（２１）に相応し、且つ、当該斜面（２１）の最低点（２１１）と最高点（２１２）との間に任意に往復的に移動できる、これで、本考案における電子はかり保護構造の改良を構成する。
【００１７】
前記斜面（２１）と支持リブ（４１）とのフィットは、逆方向の設計を採用しても良く、即ち、斜面（２１）を台ばかりの皿（４）に再設計するが、支持リブ（４１）を、台ばかり台座（２）に設計することによって、同じような保護効果を達成することができる。
【００１８】
図３で示すように、  使用において、台ばかりの皿（４）を回転させる時に、内部の各支持リブ（４１）を皆  接触斜面（２１）の最低点（２１１）から最高点（２１２）までに移動した後に位置決めする、この時、元々当該台ばかりの皿（４）と張り合わせて接触する台ばかりの金属板セット（３）がこれにより上向き変位効果を生じて、当該台ばかりの皿（４）と台ばかりの金属板セット（３）との間に一つの隔たりスペースを形成するが、接触しないようにし、これで、保護構造を開ける状態にする。これに反して、解除したい場合、台ばかりの皿（４）を逆転することによって、すべての支持リブ（４１）が、皆接触斜面（２１）の最高点（２１２）から最低点（２１１）までに戻るようにすることによって、台ばかりの皿（４）の下向きリセット効果を生じ、これで、物品の秤量作業を行うことができる。
【００１９】
更に、図４で示すように、本考案で開示した円形の電子はかり（１）において、当該台ばかりの台座（２）の周辺に、自由に開け、且つ、底面に折り畳むモニター（２２）及び制御ポート（２３）が結びつかれている。これで、収納について、一層有効的に体積を縮小することによって、一つの軽便でコンパクトで且つ携帯しやすい電子はかり（１）になる。
【００２０】
引き続き図５及び図６で示すように、本考案の一つの好ましい実施形態におけるその他の実施形態を開示するものである、当該電子はかり（１）は、磁気吸引構造を利用して、一つの貯蔵容器（５）に結び付いている（例えば、保温カップ等）。実施において、当該貯蔵容器（５）の底部にスペーサー（５１）が設置され、当該スペーサー（５１）に、少なくとも一つ以上の空きスロット（５１１）が設置されていて、その内に磁石が嵌められている（図面で表示されていない）。磁性方式を利用して、当該貯蔵容器（５）が、当該電子はかり（１）のはかりの皿（４）と、暫時的な磁気吸い付きにより、一体に結合する、分離について、当該貯蔵容器（５）を回転させることによって、電子はかり（１）から気軽に取り外すことができる。使用について、図六で示すように、いつでも、どこでもコーヒー又はその他の茶・飲料に茶を入れたい場合、皆電子はかり（１）を利用して、コーヒー粉（又はその他の茶の葉量）及び水量を正確に制御することができる。これで、自身ニーズに適合するコーヒー（又は茶等のその他の飲料）を作ることができる。
【００２１】
その上、図７及び図８で示すように、本考案のその他の好ましい実施形態における長方形の電子はかり（６）を開示する、当該電子はかり（１）は、同じように、コンシールド式設計であり、少なくとも下記を含む。はかりセンサーを含有する台ばかり金属板セット（３）の台ばかりの底面ボックス（７）、当該台ばかり底ボックス（７）を経由して、一側開口で挿入して結びつく台ばかり内部枠（８）、台ばかり底ボックス（７）の頂部平面に設置される台ばかりの皿（９）、その中で、当該台ばかりの皿（９）下側における台ばかり底ボックス（７）開口を遠ざける隅にそれぞれスペーサー（９１）が設置され、開口に近い箇所に、長いストリップ状のサポート面（９２）が設置されている、内部枠（８）の二つの相対辺の上方に支持点（８１）が設置され、当該スペーサー（９１）に相応し、相対辺が挟む辺の表面に、一つの支持面（８２）が設置されていて、当該靠れ面（９２）に押しつく、この組み合わせを利用して、台ばかりの内部枠（８）が、完全に台ばかりの底面ボックス（７）に折り畳む時に、当該台ばかり内部枠（８）の支持点（８１）及び支持面（８２）が、当該台ばかりの皿（９）の下側のスペーサー（９１）及びサポート面（９２）に押し付くことによって、台ばかり金属板セット（３）との間に、一つの隔たりスペースを自然に形成する、これに反して、台ばかり内部枠（８）を抜け出す時に、当該支持点（８１）及び支持面（８２）が、皆スペーサー（９１）及びサポート面（９２）から脱離し、直ちにこの隔たり形態を解除できるので、物品の秤量作用を便利にする。
【００２２】
図９で示すように、本考案のその他の好ましい実施形態における電子はかり動作の模式図を開示する、その中で、これは、当該台ばかり内部枠（８）の支持面（８２）に、タッチ制御式制御ポート及びモニターが設置されているタイプである。これによって、収納時の利便性を達成でき、且つ、同じように、有効的に体積を縮小することによって、一つの軽便でコンパクトで且つ携帯しやすい電子はかり（６）になる。
【００２３】
前記もう一つの好ましい実施形態の中で、当該台ばかり内部枠（８）に、一つの弾性コンポーネント（８３）を利用して、台ばかり外部ボックス（７）内部に嵌めたれるので、当該台ばかり内部枠（８）が、当該台ばかりの外部ボックス（７）内に入り込んで位置決めされる時に、当該弾性コンポーネント（８３）が、押し付けられる、これと同時に、当該台ばかり外部ボックス（７）側に、一つのスイッチが設置されて、スイッチ（７１）が押される時に、当該台ばかり内部枠（８）が、弾性コンポーネント（８３）の釈放により、押し出される。これで、操作使用の便利性を有する。
【００２４】
以上述べたところを総合すれば、本考案は、予期の目的と効き目を確実に達成でき、且つ、同類製品に見つからないので、斬新性及び十分な進歩性と実用性を有するので、本考案は、確実に特許申請の要旨を完全に具備して、我々は、文書を作成して申請を提出する。
【００２５】
但し、以上で説明するのは、本考案で提供された一つの好ましい実施形態だけである。本考案の明細書及び特許請求範囲を運用して実施された等価な構造変化を、本考案の特許範囲内に含むべきである。
【符号の説明】
【００２６】
電子はかり（１）
台ばかり台座（２）
斜面（２１）
最低点（２１１）
最高点（２１２）
モニター（２２）
制御ポート（２３）
台ばかり金属上板（３）
台ばかりの皿（４）
長いリブ（４１）
保温カップ（５）
シリカゲルスペーサー（５１）
空きスロット（５１１）
電子はかり（６）
台ばかり外部ボックス（７）
スイッチ（７１）
台ばかりの内部枠（８）
支持点（８１）
支持面（８２）
弾性コンポーネント（８３）
台ばかりの皿（９）
シリカゲルスペーサー（９１）
支持面（９２）
【図１】
0003233994.tif 000003
【図２】
0003233994.tif 000004
【図３】
0003233994.tif 000005
【図４】
0003233994.tif 000006
【図５】
0003233994.tif 000007
【図６】
0003233994.tif 000008
【図７】
0003233994.tif 000009
【図８】
0003233994.tif 000010
【図９】
0003233994.tif 000011